(57)【要約】【課題】特定の上下受具による脱着式ボタン又はアクセサリー、その受具の構造であって、太糸の束糸を用いることでボタン又はアクセサリー等の糸抜け、緩みが解決され、また縫着工程で専用ミシンの使用が可能となり、且つ洗濯時等に簡単に脱着可能である。【解決手段】互いに嵌合する下受具６と上受具５との脱着可能なボタン又はアクセサリー付け用受具であって、上下受具５、６は互いに着脱可能な凹・凸状嵌合部１１、１２を有し且つその周面に太糸４又はその束糸を緊密に絡めるうね１３、１３’が設けられ、下受具１２に基布１を縫い付ける貫通穴１４を有し、一方、上受具の周面に太糸を絡めて係止するための引掛穴１５を有すると共に、太糸４自体又は予めカシメ玉２０に通して一体化した束糸を用いて、上受具５にカシメ玉を着座させるカシメ玉嵌合穴１７を設けてカシメ玉の脱落を防ぐこと。【選択図】図１６
2007083020.tif 000002
【特許請求の範囲】
【請求項１】
互いに嵌着する下受具と上受具とから構成される脱着可能なボタン又はアクセサリー付け用受具において、上記両受具は任意の同一形状であって、互いに嵌着できる凹状嵌合部又は凸状嵌合部を有し、且つ太糸又は束糸を通す糸穴又は嵌合穴が両受具の中央部に設けられ、しかも、
下受具には、その周面に基布に下受具を縫付けるための貫通穴が設けられるか或いは下受具が軟質部材の場合に該貫通穴を省略できるものであり、一方上受具には、その周面に太糸又はその束糸を絡らめて係止するための引掛穴を有することを特徴とする、脱着可能なボタン又はアクセサリー付け用受具。
【請求項２】
嵌合部が、下受具では凹状であり、上受具では凸状であって、互いに嵌着可能であり、両受具中の矩形状の嵌合穴が丸く隅取られていることを特徴とする請求項１記載の脱着可能なボタン又はアクセサリー付け用受具。
【請求項３】
下受具と上受具との周りに太糸又はその束糸を緊密に絡めるためのうねを少なくとも互いに接する面に設け且つ太糸又は束糸を引掛けるための上受具の形状がプロペラ状であることを特徴とする、請求項１又は２記載の脱着可能なボタン又はアクセサリー付け用受具。
【請求項４】
該両受具の形状が楕円形であり、且つ両受具に設けた嵌合穴がリングを通すに十分な大きさであるが、上受具の嵌合穴内に束糸を通すリングを着座させるリング嵌合穴を設けることを特徴とする、請求項１〜３のいずれかに記載の脱着可能なボタン又はアクセサリー付け用受具。
【請求項５】
請求項１〜４のいずれかに記載の脱着可能な受具を用いてアクセサリー又はボタンを基布に装着してなることを特徴とする脱着可能な受具付きアクセサリー又はボタン。
【請求項６】
（Ａ）ボタン又はアクセサリーを取り付ける基布部分を抜取り、ボタン又はアクセサリー位置に対応する基布裏面に下受具を縫い付け、（Ｂ）ボタン又はアクセサリーに太糸を通した後下受具の糸孔に通し、（Ｃ）該下受具と嵌着した上受具の嵌合穴に通した後、（Ｄ）該太糸を上受具の引掛穴を経て両受具が接触するうねの周りに絡めて基布にボタン又はアクセサリーを装着することを特徴とする請求項１〜４のいずれかに記載の脱着可能な受具を用いてボタン又はアクセサリーを基布に装着する受具の使用方法。
【請求項７】
（Ａ）ボタン又はアクセサリーを取り付ける基布部分を抜取り、ボタン又はアクセサリー位置に対応する基布裏面に下受具を縫い付け、（Ｂ）一方、（イ）ボタンの場合、ボタンにボタン付糸を通した後に、該ボタン付糸に跨がり絡めて複数本の太糸を一体化した束糸となした後に、該束糸をリングに通し、或いは（ロ）アクセサリーの場合、１本又は複数本の太糸を一体化した束糸となした後に、該太糸又はその束糸をリングに通し、（Ｃ）嵌着した上下受具の嵌合穴に通して太糸又はその束糸を引くと、上受具の嵌合穴内のリング嵌合穴にリングが着座し、（Ｄ）次いで、該太糸又はその束糸を上受具の引掛穴を経て両受具が接触するうねの周りに絡めて基布にボタン又はアクセサリーを装着することを特徴とする請求項１〜５のいずれかに記載の脱着可能な受具を用いてボタン又はアクセサリーを基布に装着する受具の使用方法。
【請求項８】
受具に通すための太糸の束糸の形成が、（ａ）布切れに太糸を仮固定し、（ｂ）更にボタンをボタン付糸で布切れの表裏のいずれかに取付けた後に、（ｃ）布切れを取り除くとボタン付糸に太糸が跨がり絡まされた状態となり、（ｄ）絡まって一体化した複数本の太糸をリングに通し、リングを上方に押し上げることによって太糸を束糸とすることを特徴
とする、請求項７記載の脱着可能なボタン付け用受具を用いてボタン又はアクセサリーを基布に装着する受具の使用方法。
【発明の詳細な説明】
【技術分野】
【０００１】
本発明は、生地の裏側に縫着させた下受具とそれと嵌着させた上受具とからなる脱着式ボタン受具であって、ボタン孔に通された太番手糸（以下、太糸と言う）を受具に絡ませるだけでボタン又はアクセサリーを基布に強固に装着でき、洗濯又は取外し時等に簡単に脱着可能な受具付き脱着式ボタン又はアクセサリーに関する。
好ましくは、本発明は、ボタン縫着糸（以下、ボタン付糸と言う）に太糸を跨がせ絡めた後に、該太糸又はその束糸を受具に絡めてボタン又はアクセサリーを簡単に装着することができるので、量産化可能なボタン付けミシンの使用が可能となると共に、このような束糸の使用により、この束糸に相対応して受具の形状も縦長、好ましくは楕円形となることで、ボタン本体又はアクセサリーが基布上を回り難い受具付き脱着式ボタン又はアクセサリーを提供できる。
【背景技術】
【０００２】
従来技術では、ボタン構造に特徴のある一部の型状ボタンのみ脱着可能である。しかし、小さなボタン又は薄い生地には不向きである。
このため、ボタンを生地に簡単に取り付けるための工夫が行われてきた。
例えば、先行技術について見ると、以下の技術が見られる。
特許文献１「迅速取付け可能なボタン」には、生地１５を介してボタン２を台板１２に筒状紐１３と針１１により取付けることが示されているが、生地にボタンを固着するのに複数本の針を折り曲げているため、針を外すのに手間を要し、下手にすると生地を傷める恐れがある。
特許文献２「裏側に止め具を有するボタン」には、高価なカフスボタンのようなボタン１の裏側に衣服のボタン穴（図に指示なし）に通した糸を介して止具２を取付けるボタンの固着の仕方が示されている。この場合のボタンの取付けはカフスボタンのようなボタンには適しているが、全てのボタンに共通して使用できるものではない。
【０００３】
特許文献３「被服用ボタン」には、ボタン１の下部に突起２と円盤３が設けた足４を設け、固定具５と円盤３により布地６を挟み固定するものであって、針と糸を使用せずにボタンを布地に簡単に取付けできることが示されている。
この場合に固定具５と円盤３とを常にボタンに取付け状態にしておく必要があり、ボタンの下部に取付ける固定具５と円盤３が洗濯等で離すと無くする危険があり、また足付きボタンと特殊なボタンに限られる。
特許文献４「簡易取付けボタン」には、ボタン１内のボタン挿通孔２に１本の細長針金を二又状に挿通して結び目３ａを設け、ボタン紐３を結び目３ａに通し、キャップ５で覆う補助ボタン４の挿通孔４ａにボタン紐３を通して、服地６に固着することが示されている。
この場合に、複雑な構造のため簡単に取扱えない。
【０００４】
【特許文献１】実開昭５７−１５２０８号公報
【特許文献２】特開平８−１０３３０３号公報
【特許文献３】実開昭５９−１３４４１０号公報
【特許文献４】実開平７−１６６０５号公報
【発明の開示】
【発明が解決しようとする課題】
【０００５】
以上の通り、従来の生地等へのボタン取付けは、限られた範囲のボタンに限定されると
共に、針と紐・糸などを併用したり、布地に一旦固着したら外すのに手間がかかる等課題が多かった。
従って、ボタンを布地に簡単に取り付けれると共に、洗濯等の際には簡単に外せるボタン受具の要求が多くなっている。
また、ボタン付糸と受具に絡める太糸を同一糸で使用すると、ボタン付糸のファッション性による糸の種類（例えば色、番手、素材等）を選択可能にする必要があり、ボタン付糸と受具に絡める太糸を分け、互いの機能に合った糸が必要である。
更に、量産化を視野に入れると、ボタン付けミシンの使用が不可欠であり、ボタン付糸に跨がせ絡ませた太糸を一体化させて束糸とする必要がある。
従来のボタン付け（特にボタン付けミシン）の欠点である使用頻度が増すにつれて糸が緩み抜けると言う問題点もある。
【課題を解決するための手段】
【０００６】
上記の目的を達成するために本発明者は種々検討した結果、（ｉ）ボタン２又はアクセサリー２３を取付け自在にするために、互いに嵌着する下受具６と上受具５とから構成される脱着可能なボタン２又はアクセサリー２３付け用受具において、上記両受具は任意の同一形状であって、互いに嵌着できる凹状嵌合部１１又は凸状嵌合部１２を有し、且つボタン付糸１９を通す糸孔１０又は太糸４又はその束糸を嵌合穴１６、１６’が両受具の中央部に設けられ、しかも、
下受具６には、その周面に基布１に下受具６を縫付けるための貫通穴１４を設けられるか或いは下受具６が軟質部材の場合に該貫通穴を省略でき、一方、上受具５には、その周面に太糸４又は束糸を絡らめて係止するための引掛穴１５を有する構造とすることにより、ボタン２又はアクセサリー２３を強固に基布１に装着できることを見出し、本発明を完成するに至った。
【０００７】
更に、（ｉｉ）上下受具の嵌合部が、下受具６では凹状で且つ上受具５では凸状であり互いに嵌着可能の構造とされているので、ボタン２やアクセサリー２３を基布１に受具７を用いて強固に装着できる。
（ｉｉｉ）両受具中の矩形状の嵌合穴１６、１６’が丸く隅取られている構造となっているので、嵌合穴中にリングが容易に通過できる。
（ｉｖ）下受具６と上受具５との周りに太糸４又はその束糸を緊密に絡めるためのうね１３、１３’を少なくとも互いに接する面に設け且つ太糸又はその束糸を引掛けるために上受具５の形状がプロペラ状であるので、基布１に受具７を強固に絡めることができる。
（ｖ）該両受具の形状が楕円形であり、且つ両受具に設けた嵌合穴１６’、１６がリングを通すに十分な大きさであるが、上受具５の嵌合穴１６内に束糸を通すリング２０を着座させるリング嵌合穴１７を設けたので、ボタン本体が固定して回り難くなり、また装着時の利便性が良くなり、従来のボタン付けの欠点でもある、使用頻度が増すにつれて糸が緩み抜ける恐れもないし、且つ太糸４とは別にボタン付糸１９を用いたので、量産可能なボタン付ミシンの使用が可能となると共に、ボタン付糸１９のファッション性による糸の種類（例えば色、番手、素材等）を選択可能とする。
（ｖｉ）上記特定の構造の上下受具を用いて、ボタン２やアクセサリー２３を基布１に着脱自在に装着できるので、受具７の何れかが壊れたら簡単に取り替え自在であることを見出し、本発明を完成するに至った。
【０００８】
本発明は、以下の通りである。
（１）互いに嵌着する下受具５と上受具６とから構成される脱着可能なボタン２又はアクセサリー２３付け用受具７において、上記両受具は任意の同一形状であって、互いに嵌着できる凹状嵌合部１１又は凸状嵌合部１２を有し、且つ太糸４又はその束糸を通す糸穴１０又は嵌合穴１６が両受具の中央部に設けられ、しかも、
下受具６には、その周面に基布１に下受具６を縫付けるための貫通穴１４が設  られる
か（図４、１５参照）或いは下受具６が軟質部材の場合に該貫通穴１４を省略できるものであり（図９、１６参照）、一方上受具５には、その周面に太糸４又はその束糸を絡らめて係止するための引掛穴１５を有する、脱着可能なボタン２又はアクセサリー２３付け用受具７を提供する（図４、９、１５、１６参照）。また、
【０００９】
（２）嵌合部が、下受具６では凹状１１であり、上受具では凸状１２であって、互いに嵌着可能であり、両受具中の矩形状の嵌合穴が丸く隅取られている（図１５、１６参照）（１）記載の脱着可能なボタン２又はアクセサリー２３付け用受具を提供する。また、
（３）下受具６と上受具５との周りに太糸４又はその束糸を緊密に絡めるためのうね１３、１３’を少なくとも互いに接する面に設け且つ太糸４又はその束糸を引掛けるための上受具５の形状がプロペラ状である（１）又は（２）記載の脱着可能なボタン２又はアクセサリー２３付け用受具を提供する（図４、９、１５１６参照）。また、
（４）該両受具の形状が楕円形であり、且つ両受具に設けた嵌合穴１６、１６’がリング２０を通すに十分な大きさであるが、上受具５の嵌合穴１６、１６’内に束糸を通すリング２０を着座させるリング嵌合穴１７を設ける（１）〜（３）のいずれかに記載の脱着可能なボタン２又はアクセサリー２３付け用受具を提供する（図１６参照）。また、
【００１０】
（５）（１）〜（４）のいずれかに記載の脱着可能な受具７を用いてアクセサリー２３又はボタン２を基布１に係止又は固着してなる脱着可能な受具付きアクセサリー又はボタンを提供する（図２０参照）。また、
（６）（Ａ）ボタン２又はアクセサリー２３を取り付ける基布１部分を抜取り布穴３とし、ボタン２又はアクセサリー２３位置に対応する基布１裏面に下受具６を縫い付け、（Ｂ）ボタン２又はアクセサリー２３に太糸４を通した後下受具６の糸孔１０に通し、（Ｃ）該下受具６と嵌着した上受具５の嵌合穴１６に通した後（図１〜３参照）、（Ｄ）該太糸４を上受具５の引掛穴１５を経て両受具が接触するうね１３、１３’の周りに絡めて基布１にボタン２又はアクセサリー２３を装着固着する（１）〜（４）のいずれかに記載の脱着可能な受具を用いてボタン２又はアクセサリー２３を基布１に装着する受具７の使用方法を提供する（図５、１０参照）。また、
【００１１】
（７）（Ａ）ボタン２又はアクセサリー２３を取り付ける基布１部分を抜取り、ボタン２又はアクセサリー２３位置に対応する基布１裏面に下受具６を縫い付け（図１１〜１４参照）、（Ｂ）一方、（イ）ボタン２の場合、ボタン２にボタン付糸１９を通した後に、該ボタン付糸１９に跨がり絡めて複数本の太糸４を一体化した束糸となした後に、該束糸をリング２０に通し（図１８参照）、或いは（ロ）アクセサリー２３の場合、１本又は複数本の太糸４を一体化した束糸となした後に、該束糸をリング２０に通し、（Ｃ）嵌着した上下受具の嵌合穴１６、１６’に通して束糸を引くと（図１８参照）、上受具５の嵌合穴１６’内のリング嵌合穴１７にリング２０が着座し（図１６−（ハ）参照）、（Ｄ）次いで、該束糸を上受具５の引掛穴１５を経て両受具が接触するうね１３、１３’の周りに絡めて基布１にボタン２又はアクセサリー２３を装着する（１）〜（５）のいずれかに記載の脱着可能な受具７を用いてボタン２又はアクセサリー２３を基布１に装着する受具の使用方法を提供する（図１９参照）。また、
【００１２】
（８）受具７に通すための太糸４の束糸の形成が、（ａ）布切れ２２に太糸４を仮固定し、（ｂ）更にボタン２をボタン付糸１９で布切れ２２の表裏のいずれかに取付けた後に、（ｃ）布切れ２２を取り除くとボタン付糸１９に太糸４が跨がり絡まされた状態となり、（ｄ）絡まって一体化した複数本の太糸４をリング２０に通し、リング２０を上方に押し上げることによって太糸４を束糸とする、（７）記載の脱着可能なボタン付け用受具７を用いてボタン２又はアクセサリー２３を基布に装着する受具の使用方法を提供する（図１７、１８参照）。
【発明の効果】
【００１３】
（１）本発明の脱着式ボタン２又はアクセサリー２３付き受具７を用いると、上下受具の材質を硬・軟質材料と使い分けが可能となり、例えば軟質材料を使うと、基布に下受具６を縫い付けるのに必須な貫通孔や太糸を通すのに必要な嵌合穴１６が不要となる。また、硬質材料を用いるとボタン２又はアクセサリー２３を受具７に強固に装着できる利点がある。
特に、下受具６の素材として硬質素材（例えば、金属又はポリプロピレン等の硬質プラスチック）を、上受具５の素材として軟質素材（例えば、ビニル樹脂、アクリル樹脂等）と使い分けると、上下受具の互いの機能に合ったものが使用できる。また、縫着糸（細番手糸）１８が下受具１８のうね１３を跨がずにうね１３の内側の低い箇所を縫着糸（細番手糸）１８で縫着することで、太糸４を上受具５に絡める時に、太糸４が直接接触しなくなるので、糸切れ防止が可能となる。
（２）両受具の周縁にうね１３、１３’を設けることにより、受具７に絡める太糸４又はその束糸が下受具６を基布１に縫着させる縫着糸（細番手糸）１８と直接接触しないので、下受具６の縫着糸１８の解き防止が可能となる。
【００１４】
（３）本発明の太糸４による脱着式ボタン又はアクセサリー用受具によれば、ボタン２又はアクセサリー２３止めに使用されている太糸４を活用でき、ボタン２又はアクセサリー２３の使い勝手が良い。
（４）市販されている全ての形状のボタン２又はアクセサリー２３に適用でき、取扱に非常にデリケートなボタン、例えばガラス、薄手の貝、アンテークなボタン等も洗濯時に簡単に脱着可能となり、更に、貴金属類製ボタンや手作りボタン等の新素材ボタンでも受具７を用いることで装着と脱着が容易な受具を消費者に提供でき、異業種からの参入も見込める。
（５）ボタン２やアクセサリー２３を基布１に装着するのに、単に太糸４又はその束糸を上下受具の嵌合穴１６、１６’や引掛穴１５等を利用して絡め巻き付ける等するだけで簡単に行うことができる。
【００１５】
（６）ボタン２に通したボタン付糸１９に太糸４を跨がせ絡めて、リング２０の使用により両者を一体化させて束糸としたので、従来の手作業工程が量産化可能なボタン付けミシンの使用が可能となる。勿論、アクセサリー２３にも応用できる。
（７）太糸とは別にボタン付糸１９を用いたので、ボタン付糸１９のファッション性による糸の種類（例えば色、番手、素材等）を選択可能とすることができる。
（８）リング２０の使用により、この束糸に相対応して受具の形状も縦長、好ましくは楕円形とすることできてボタン２やアクセサリー２３が回り難くなる。
【００１６】
（９）ボタン付糸１９の根元に太糸４を跨がせ絡め、リング２０を用いて束糸となして受具により強固にボタン２を基布１に装着させるので、ボタン付糸１９の糸抜けを防げる。
即ち、従来のボタン付糸（ボタン付けミシン）の欠点でもある使用頻度が増すにつれて糸が緩み抜け落ちる問題点も解決できる。
【発明を実施するための最良の形態】
【００１７】
以下、図面に従って本発明の実施の形態を詳細に説明する。
始めに、本発明を構成する各種用語の定義について以下に説明する。
１．本発明に使用する糸全般（ボタン付糸、細番手糸、太番手糸）についてそれらの相違点を含めて説明する。
（イ）通常、糸とは、単糸または複数の合糸を二本または三本縒ったものを糸と言う。
（ロ）繊維製品の大部分を占める料品用の需要が衣料用細番手糸（５０〜１２０番手、要するに縫着糸のこと）、他の需要、おしなべて産業用である産業用太番手糸（５〜４０
番手）と大別しているが、本発明の場合に必ずしもこれにこだわらず、本発明のような縫製品の品質やコストに合わせて適当に使い分ける。
（ハ）本発明に用いる糸の素材、番手等は、基布（布または布に準ずるもの）若しくはその他の素材も考慮し、基布として薄手、厚手を用いる場合に対応してそれに使用する糸全般（ボタン付糸、細番手糸、太番手糸）も多種多様に対応できることが望ましい。
よって、糸の素材、番手等はボタン付、縫着又は受具への絡め方に応じて使い分けることが必要である。
【００１８】
（ニ）また、本発明に係る糸には、釣り糸等のナイロン製のようなテグス、金属糸のようなワイヤーまたはその他の素材も含まれる。
（ホ）市販された糸を参考のために以下に挙げる。
綿カタン糸、絹糸、テトロン／綿の混紡糸、麻糸、ナイロン６６糸、ナイロン６糸、ナイロンモノフィラメント、ビニロン糸、ポリエステル糸、テトロン／羊毛糸、ナイロン／羊毛糸、ポリエステルスパン糸、複合糸、コアミシン糸、あらみど糸、金糸、銀糸、刺繍糸、接着糸等を挙げることができる。
これらの市販糸は、本発明の種々の糸が意図する目的、番手、素材等に応じて選択できる。
【００１９】
２．ボタン付糸とは、通常使用されているボタン付糸全般を指す。
ボタン付糸には、ファッション性による糸の種類が挙げられ、例えば色、番手、素材等を選択でき、その材質は、特に制限されないが、基布との相性を考慮して、例えば、絹糸、麻、木綿糸、ポリエチレン糸、ポリエステル糸等の多様な糸を使用できる。その番手はボタン付糸として通常使用される範囲のもので良く、特に限定されるわけでない。
３．細番手糸とは、通常５０〜１２０番手の要するに縫着糸を指し、通常使用されている縫製用縫糸の全般を指す。
【００２０】
４．太番手糸とは、通常５〜４０番手の絡め易く糸縒が少ない糸が好ましく、その特性に合った糸が対象となり、更に紐も含まれる。
ここでは、太番手糸は省略して太糸と称する。  
ここで言う紐とは、８〜１２本程度の単糸及び合糸を紐状（円形状）、平編み（平型状）に編み込んだものを称する。その素材については糸に準ずるものが使用され、本発明で言う太糸と同じ使われ方のものを意図し、通常の概念で紐全般を指す。
紐の太さは、直径（組紐）での表示の仕方が通常多く、直径７ｍｍ位からが通例であるが、極小の組紐も含み、本発明の場合に紐の太さについては受具の大きさやその肉厚により替えることが望ましい。
【００２１】
５．本発明の受具に絡めて使用する糸部材としては、紐が最も糸縒れが少なく柔軟性が良く好ましいが、他の部材（太糸、釣り用テグス、ワイヤー等）も代用可能である。
６．リングとは複数本の太糸を通せることができ、且つ容易に上下に押上げ又は押下げできる程度の径を有するリング状物を指し、代表的にはカシメ玉が好ましい。
７．基布としては、ボタンやアクセサリーを基布に装着できるものならその材質は特に限定されないが、綿、合繊布等の布地や合成皮革、革等の任意の材料を用いることができ、ボタン２の場合には木綿や羊毛、合成繊維等からの布地で代表される。
【００２２】
８．束糸とはボタン付糸に跨がり絡めた複数本の該太糸をカシメ玉で代表されるリングに通し、そのリングを上方に押し上げることにより一体化した束糸を言う。
９．図５、１０、１９に示した受具の引掛穴に絡める仕方はあくまでも１例であって、逆向きでもどのような絡めの仕方でも構わない。
１０．受具を構成する素材としては広く任意の素材が利用できるが、硬質素材としては、例えば、金属材又はポリプロピレン等の硬質プラスチックがあるが、これに限定されな
いし、軟質素材としては、例えば、ビニル樹脂、アクリル樹脂等を挙げることができるが、これに限定されない。
【００２３】
（Ａ）図１〜６は、太糸として２本糸用受具の場合を示す。
図１は、本発明の脱着可能なボタン（又はアクセサリー）付け用上・下受具を用いて布地１に太糸４によりボタン２（又はアクセサリー２３）を装着する状態を示す斜視図を示す。
図２は、図１のＡ−Ａ’縦断面図を示す。
図３は、図１と同じく、上・下受具を用いて布地１に太糸４によりボタン２を装着する状態を示し、（イ）ボタン側表面の斜視図であり、（ロ）受具側裏面の斜視図である。
図４は、（イ）下受具とその断面、（ロ）上受具とその断面、（ハ）両受具の合体図とその断面を示す。
【００２４】
図５は、従来、手作業によるボタン２に太糸４を縫い付ける作業を、受具のプロペラ部に太糸４を絡めて、ボタン２（又はアクセサリー２３）を布１に装着する受具の使用方法を示し、（イ）上受具５の糸孔１０を通された太糸４が上受具５のプロペラ状をした１つ目の引掛穴１５に絡めた状態、（ロ）上受具のプロペラ状をした２つ目の引掛穴１５に絡めた状態、（ハ）上受具のプロペラ状をした４つの引掛穴１５に順次絡めた状態を示し、（ニ）上下受具５、６の周縁のうね１３’、１３の接触状態を示し、このうねを利用して受具から太番手糸４が脱落しなくする点で利点があり、（ホ）嵌着した上下受具に太糸４を絡めて緊密にボタン（又はアクセサリー）を布１に装着する縦断面を示す模式図である。
図６は、本発明の受具によりボタン（又はアクセサリー）を装着する状態を示す模式図である。
【００２５】
（Ｂ）図７〜１０は、特に小さなボタン（又はアクセサリー）用として、太番手糸として１本糸用受具の場合を示す。
図７は、本発明の脱着可能なボタン付け用受具を用いて布地に小さなボタン（又はアクセサリー）を装着する状態を示す縦断面図を示す。
図８は、（イ）ボタン側表面の斜視図であり、（ロ）受具側裏面の斜視図である。
図９は、（イ）上下に２つの貫通孔１４を設けた下受具６とその断面、（ロ）上下に２つの引掛穴１５を設けた上受具５とその断面、（ハ）両受具の合体図とその断面を示す。
【００２６】
図１０は、上下受具に太番手糸４を絡めて、ボタン２（又はアクセサリー２３）を布１に装着する受具の使用方法を示し、（イ）〜（ハ）上受具の糸孔１０を通された太番手糸４を相対する２つの引掛穴１５に順次絡めた状態を示し、（ニ）上下受具５、６の周縁のうね１３’、１３の接触状態と、このうねを利用して受具から太番手糸４が脱落しなくする点で利点があり、それに太番手糸４を絡めた縦断面を示す模式図である。
【００２７】
（Ｃ）図１１〜１９は、太糸又はボタン付糸とそれに跨がせ絡ませた太糸の束糸を用い、且つ上・下受具により布地にボタン又はアクセサリーを縫着する場合を示す。
図１１は、本発明の脱着可能なボタン（又はアクセサリー）付け用上・下受具を用いて太糸又はボタン付糸１９とそれに跨がせ絡ませた太糸４の束糸を用いて、布地１にボタン２（又はアクセサリー２３）を装着する状態を示す斜視図を示す。
図１２は、図１のＡ−Ａ’縦断面図を示す。特に、上受具の嵌合穴１６内のカシメ玉嵌合穴１６’に束糸を通したカシメ玉２０を着座させる状態を示している。
図１３は、図１１、１２を側方から見た斜視図であり、（イ）布１にボタン２（又はアクセサリー２３）を取付けたボタン側表面の状態を示し、（ロ）布１に受具を取り付けた受具側裏面の状態を示す。
【００２８】
図１４は、（イ）ボタン２（又はアクセサリー２３）を取り外した布穴３周辺の状態を示す斜視図であり、（ロ）布地１中央に下受具６が取り付けられた周辺の状態を示す斜視図である。
図１５は、下受具の素材として硬質部材を用いた場合の（イ）周縁に複数個の貫通穴１４を設けた下受具６とその断面、（ロ）束糸を引掛けて布と受具とを固着するための複数個の引掛穴１５を設けた上受具とその断面、（ハ）両受具の合体図とその断面を示すが、束糸が通されたカシメ玉２０の嵌合穴１６内のカシメ玉嵌合穴１７に着座した状態は省略した。
図１６は、下受具の素材として軟質部材を用いた場合の（イ）周縁に貫通穴を設けなくても束糸が通されたミシン針が貫通できる下受具とその横及び縦断面、（ロ）図１５と同じく複数個の引掛穴１５設けてプロペラ状とし及び上受具の嵌合穴１６内にカシメ玉２０の着座用のカシメ玉嵌合穴１７を設けた上受具とその横及び縦断面、（ハ）両受具の合体図とその横及び縦断面を示し、カシメ玉２０がカシメ玉嵌合穴１７内に着座して下方に脱落しない状態を示している。
【００２９】
図１７はボタン付糸１９と受具に絡める太糸４との結合工程１を示す。
（イ）布切れ２２に太糸４を仮固定した状態を示し、（ロ）太糸４を仮固定した布切れ２２にボタン２をボタン付糸１９で固定した状態を示し、（ハ）ボタン付糸１９と太糸４とを一体化して束糸とした後に布切れ２２を除去した状態を示す。
図１８はボタン付糸１９と受具に絡める太糸４との結合工程２を示す。
（ニ）太糸４を直接ボタン付け糸１９に跨がせ絡ませけた状態を示し、（ホ）ボタン付糸１９の根元を太糸４で束ね、カシメ玉２０でカシメる状態を示す。
【００３０】
図１９は、図１６の上下受具を用い上下受具に太糸４を絡めて、ボタン２（又はアクセサリー２３）を布１に装着する受具の使用方法を示し、（イ）軟質部材で構成される下受具６に太番手糸４を手作業で通した後に、（ロ）順次上受具５の複数個の引掛穴１５に太糸４を絡める状態、（ハ）両受具を合体して両受具の引掛穴１５に通した太糸４を、（ホ）うね１３、１３’間に絡めて緊密にボタン２を装着する状態を示し、このうねを利用して受具から太糸４が脱落しなくする点で利点があり、（ニ）上・下受具５、６のうね１３、１３’間の接触状態を示す模式図である。
図２０は、基布等に１個の太糸４又はその複数個の束糸が通されたカシメ玉２０が着座した受具７により装着されたアクセサリー２３を示し、（イ）アクセサリーの表裏地を示し、（ロ）その縦断面図、（ハ）その横断面図を示す。
【００３１】
更に、図面に基づいて詳細に説明する。
（Ａ）特に、ボタンを布地１に受具により装着する場合を中心に説明する。
（ｉ）図４において、互いに嵌合する下受具６と上受具５とから構成される脱着可能なボタン付け用受具であって、下受具６はその中央部に糸孔１０と凸状嵌合部１２、その周面に細番手糸１８を通す貫通穴１４を有し、一方上受具５はその中央部に凹状嵌合部１１、その周面に太糸４をからめて係止するための引掛穴１５、即ち、この引掛穴は太糸４を引掛けができるなら特にその形状は限定されないが、プロペラ状であることが引掛けて緊密に係止できる点から好ましい。
【００３２】
図４−（ハ）（合体図）によると、下受具６中央の凸状嵌合部１２と上受具５中央の凹状嵌合部１１とは互いに嵌着していて、洗濯時等の取り外すのに必要な場合にボタン２やアクセサリー２３を簡単に外すのに便利であり、このような状態を作り出せたら、凹凸冶具の使用に限定されない。
また、ボタン２の糸孔１０とそれに通された太糸４を引掛穴１５を経て絡めるためには、糸孔１０と引掛穴１５の数は特に制限されないが、通常ボタン２又はアクセサリー２３に通す太糸４は１本（図７〜１０）、２本（図１〜６）又は太糸４の束糸（図１１〜１９
）であるから、それに対応してはボタン（又はアクセサリー２３）の場合には糸孔１０は１個（図７〜１０）又は２個（図１〜６）であるが、場合に応じてその数を増やしても良い。
また、貫通穴１４の数は基布１に下受具６を縫い付けるに必要な数で良く、２個（図７〜１０）又は４個（図１〜６）で十分であるが、場合に応じてその数を増やしても良い。
【００３３】
（ｉｉ）下受具６と上受具５との周りに太糸４を緊密に絡めるためにうね１３、１３’を少なくとも互いに接する面に設ける必要があり、望ましくは、図５−（ニ）、（ホ）、図９−（ハ）、図１５−（ハ）、１６−（ハ）に示すように、上受具５の下面にもうね１３’を設けると太糸４をより緊密に絡めることができる。
（ｉｉｉ）上下受具の大きさ、形状は特に制限されないが、上下受具が円盤状であり且つ上受具５がプロペラ状である（図４）ことが取扱いの容易さ等の観点から望ましく、また、図１１〜１９に示されるように、ミシン掛け等で量産化を考慮する場合には、細番手糸１８及びボタン付糸１９と太糸４の縫着を工業化するのに好ましい。
勿論、上下受具の形状として、他の形状、例えば四角形、三角形等の任意の形状も採用できる。
また、上下受具の大きさは、美観上、取扱い上等からほぼ同じ大きさが良く、ボタン２（又はアクセサリー２３）との関係では、両受具は大き過ぎると美観を損なうし、余り小さいと取扱い上不便であるから、少し小さい位が望ましく、ボタン２の機能性上、例えば布穴３に通す時のボタン２の角度の自由度から受具の大きさが小さい方が望ましい。
【００３４】
（ｉｖ）ボタン（又はアクセサリー）用受具の使用方法は、（Ａ）ボタン２（又はアクセサリー２３）を取り付ける布地１部分を抜取り布穴３を形成し（図１）、ボタン２の位置に対応する布地裏面に下受具６を細番手糸１８により縫い付け（図３、８）、（Ｂ）ボタン２（又はアクセサリー２３）に太糸４を通した後下受具６の糸孔１０に通し（図３、８）、（Ｃ）該下受具６の凸状嵌合部１２と嵌着した上受具５の凹状嵌合部１１の嵌合穴１６に太糸４を通した後（図４、５、９、１０）、（Ｄ）該太糸４を上受具５の引掛穴１５を経て両受具が接触するうね１３、１３’の周りに絡めて仮固着する（図５、９、１０）ことにより受具７を布地１に仮着できることからなる。
ボタン２（又はアクセサリー２３）を外したい時には、受具に絡めていた太糸４を外せば簡単にボタン２（又はアクセサリー２３）を回収できる。
【００３５】
（Ｂ）ボタン２（又はアクセサリー２３）を基布１に装着するのにリング２０を活用して太糸又はその束糸を受具に絡める場合
（ｉ）図１１、１２に示されるように、例えば、互いに十字状に４ケの糸孔１０を設けたボタン２にボタン付糸１９を通し、一方、受具に絡ませる太糸４が上記ボタン付糸１９とカシメ玉２０を介して一体化されて束糸とする。
このボタン付糸１９の使用によって、ファッション性による糸の種類（例えば色、番手、素材等）を選択できる利点があり、且つその材質は、特に制限されないが、布地１との相性を考慮して例えば、絹糸、麻、木綿糸、ポリエチレン糸、ポリエステル糸等の多様な糸を選択できる。また、その番手はボタン付糸として通常使用される範囲のもので良く、特に限定されるわけでない。
【００３６】
（ｉｉ）このボタン付糸１９と受具に絡める太糸４の結合工程を図１７、１８を用いて説明する。
（ａ）布に準ずる適当な布切れ２２に太糸４を仕付け糸や（簡単に外せる）粘着剤等で仮固定する（図１７−（イ））。
（ｂ）太糸４を仮固定した布切れ２２にボタン２の糸孔１０に通したボタン付糸１９でボタン２を布切れ２２の表裏のいずれかに固定する（図１７−（ロ））。
（ｃ）布切れ２２を取り除くと（図１７−（ハ））ボタン付糸１９に太糸４が跨がり絡
まされた状態となり（図１８−（ニ））、（ｄ）絡まって一体化した複数本の太糸４をリング２０に通し、リング２０を上方に押し上げることによって太糸４を束糸とする（図１８−（ホ））。
【００３７】
（ｉｉｉ）図１３は、ボタン付糸１９と太糸４又はリング（代表的にはカシメ玉）２０による束糸を用いて受具で布１にボタン２を装着すると共に、細番手糸１８を用いて布１に縫付けた下受具６に嵌着した上受具５の表裏面の状態を示す。
図１４は、そのように受具を取り付けた布１の表裏面の状態を示している。
図１５は、下受具６の素材として金属、ポリプロピレン等に限らず、任意の他の硬質部材を用いることが好ましい。
両受具は硬質部材を用いているので、束糸を通す嵌合穴１６が必要であり、且つ両受具の形状もリング（カシメ玉）２０の形状に左右され、楕円形状が好ましい。或いは太糸４やその束糸を用いてミシン等で量産が可能となる。
【００３８】
（ｉｖ）図１６は、両受具の素材としてビニル樹脂、アクリル樹脂等に限らず、任意の他の軟質部材を用いることができる。
両受具は、軟質部材を用いて柔らかでミシン針等で簡単に縫える利点がある。
下受具６と嵌合する上受具５の形状も同様に楕円形状とする必要がある。
上記受具の構造としては、楕円形状が好ましいが、勿論、他の形状、例えば四角形、三角形等の任意の形状が採用できる。
また、両受具の大きさは、美観上、取扱い上等からほぼ同じ大きさが良く、ボタン２との関係では、ボタンの機能性、例えばボタン穴に通す時のボタンの角度の自由度の観点から小さい方が良い。
嵌合穴１６及びそれに沿って周囲に設ける凹・凸状嵌合部１１、１２は、夫々の角が丸められた形状が両受具間の嵌合のために又はリング２０の入り易さの観点から好ましい。
また、両受具の周縁にうね１３、１３’を設けると太糸４又は束糸を受具により緊密に絡めることができる（図１５、１６）。
（ｖ）ボタン本体２（又はアクセサリー２３）と受具７に絡める太糸４又は束糸による受具の使用方法は、図１９に説明されるように、基本的に、上記（Ａ）の場合の使用方法（図５、１０参照）と同様の操作を行えば良い。
【００３９】
（ｖｉ）アクセサリーへの受具の利用
ボタンに限らず、他のアクセサリーやファブリック等の脱着を必要とする任意の装飾材に応用可能である。
従って、ここで言うアクセサリーには、アクセサリー製品に限らず、ファブリック等の脱着を必要とする任意の装飾材が含まれる。
例えば、被服等や装飾用に用いられるアクセサリーやブローチ等、通常のピン受けタイプ、ネジによる脱着タイプ等の多種な装飾材への応用が可能である。
このような受具を使用することにより、布地等を傷めずに強固に装着できる利点がある。
アクセサリーへの受具の利用に当たっては、その具体的な仕方は、装飾具としてボタンを用いる場合と共通するが、特にリングに通した太糸又はその束糸、好ましくは太糸を用い、アクセサリーを受具により基布に装着する仕方となる。
【産業上の利用可能性】
【００４０】
本発明の脱着式ボタン受具、その受具により基布に装着したボタン又はアクセサリーによれば、ボタンやアクセサリーの種類、材質を問わずに用いることができるので、広く上着やワイシャツ等のボタンの取付け及び布製品全般に応用でき、ボタンやアクセサリーの使用領域を広げることができる。
また、ボタンと基布と受具との交絡にボタン付糸と太糸又はその束糸を用いると、ボタ
ン付ミシンの利用による量産化が可能となり、広く販路の確保に有益である。
【図面の簡単な説明】
【００４１】
【図１】本発明の脱着可能なボタン付け用受具の布地にボタン（又はアクセサリー）を装着する状態を示す斜視図を示す。
【図２】図１のＡ−Ａ’縦断面図を示す。
【図３】図１と同じく受具を用いて布地にボタン（又はアクセサリー）を装着する状態を示し、（イ）ボタン側表面の斜視図であり、（ロ）受具側裏面の斜視図である。
【図４】（イ）下受具とその断面、（ロ）上受具とその断面、（ハ）両受具の合体図とその断面を示す。
【図５】受具に太番手糸を絡めて、ボタン（又はアクセサリー）を布に装着する受具の使用方法を示し、（イ）上受具の糸孔を通された太番手糸が上受具の１つ目つの引掛穴に絡めた状態、（ロ）上受具の２つ目の引掛穴に絡めた状態、（ハ）上受具の４つの引掛穴に順次絡めた状態を示し、（ニ）上下受具の周縁のうねの接触状態を示し、（ホ）嵌着した上下受具に太番手糸を絡めて緊密にボタンを布に装着する縦断面を示す模式図である。
【図６】本発明の受具によりボタン（又はアクセサリー）を装着する状態を示す模式図である。
【００４２】
（Ｂ）図７〜１０は、特に小さなボタン（又はアクセサリー）用として、太番手糸として１本糸用受具の場合を示す。
【図７】本発明の脱着可能なボタン付け用受具を用いて布地に小さなボタンを装着する状態を示す縦断面図を示す。
【図８】（イ）ボタン側表面の斜視図であり、（ロ）受具側裏面の斜視図である。
【図９】（イ）上下に２つの貫通孔を設けた下受具とその断面、（ロ）上下に２つの引掛穴を設けた上受具とその断面、（ハ）両受具の合体図とその断面を示す。
【図１０】上下受具に太番手糸を絡めて、ボタン（又はアクセサリー）を布に装着する受具の使用方法を示し、（イ）〜（ハ）上受具の糸孔を通された太番手糸を相対する２つの引掛穴に順次絡めた状態を示し、（ニ）上下受具の周縁のうねの接触状態と、それに太番手糸を絡めた縦断面を示す模式図である。
【００４３】
（Ｃ）図１１〜２０は、ボタン付糸と太糸の束糸を用い、且つ上・下受具により布地にボタン（又はアクセサリー）を縫着する場合を示す。
【図１１】本発明の脱着可能なボタン付け用上・下受具を用いて太糸又はボタン付糸と太糸の束糸を用いて、布地にボタン（又はアクセサリー）を装着する状態を示す斜視図を示す。
【図１２】図１１のＡ−Ａ’縦断面図を示す。特に、上受具の嵌合穴内のカシメ玉嵌合穴に束糸を通したカシメ玉を着座させる状態を示している。
【図１３】図１１、１２を側方から見た斜視図であり、（イ）布にボタン（又はアクセサリー）を取付けたボタン側表面の状態を示し、（ロ）布に受具を取り付けた受具側裏面の状態を示す。
【００４４】
【図１４】（イ）ボタン（又はアクセサリー）を取り外した布穴周辺の状態を示す斜視図であり、（ロ）布地中央に下受具が取り付けられた周辺の状態を示す斜視図である。
【図１５】下受具の素材として硬質部材を用いた場合の（イ）周縁に複数個の貫通穴を設けた下受具とその断面、（ロ）束糸を引掛けて布と受具とを固着するための複数個の引掛穴を設けた上受具とその断面、（ハ）両受具の合体図とその断面を示す。
【図１６】下受具の素材として軟質部材を用いた場合の（イ）周縁に貫通穴を設けなくても束糸が通されたミシン針が貫通できる下受具とその横及び縦断面、（ロ）図１５と同じく複数個の引掛穴を設けてプロペラ状とし、上受具の嵌合穴内にカシメ玉の着座用カシメ玉嵌合穴を設けた上受具とその横及び縦断面、（ハ）両受具の合体図とその横及び縦断面を示し、カシメ玉がカシメ玉嵌合穴内に着座して下方に脱落しない状態を示している。
【００４５】
【図１７】ボタン付糸と受具に絡める太番手糸との結合工程１を示す。  （イ）布切れに太番手糸を仮固定した状態を示し、（ロ）太番手糸を仮固定した布切れにボタンをボタン付糸で固定した状態を示し、（ハ）ボタン付糸と太番手糸とを一体化して束糸とした後に布切れを除去した状態を示す。
【図１８】はボタン付糸と受具に絡める太番手糸との結合工程２を示す。  （ニ）太番手糸に直接ボタン付け糸を跨がせ、（ホ）ボタン付糸の根元を太番手糸で束ね、カシメ玉でカシメる状態を示す。
【００４６】
【図１９】図１６の上下受具を用い上下受具に太番手糸を絡めて、ボタン（又はアクセサリー）を布に装着する受具の使用方法を示し、（イ）軟質部材で構成される下受具に太番手糸を手作業で通した後に、（ロ）順次上受具の複数個の引掛穴に太番手糸を絡める状態、（ハ）両受具を合体して両受具の引掛穴に太番手糸を通す状態を示し、（ホ）うね間に絡めて緊密にボタン（又はアクセサリー）を装着する状態を示し、（ニ）上・下受具のうね間の接触状態を示す模式図である。
【図２０】基布等に１本の太番手糸又はその複数個の束糸が通されたカシメ玉が着座した受具により装着されたアクセサリーを示し、（イ）アクセサリーの表裏地を示し、（ロ）その縦断面図、（ハ）その横断面図を示す。
【符号の説明】
【００４７】
１  布（基布）
２  ボタン
２’  留具
３  布穴
４  太番手糸
５  上受具
６  下受具
７  受具
１０  糸孔
１１  凹状嵌合部
１２  凸状嵌合部
１３、１３’  うね
１４  貫通穴
１５  引掛穴
１６、１６’  嵌合穴
１７  カシメ玉嵌合穴
１８  細番手糸
１９  ボタン付糸
２０  カシメ玉
２１  硬質部材
２１’軟質部材
２２  布切れ
２３  アクセサリー
【図１】
2007083020.tif 000003
【図２】
2007083020.tif 000004
【図３】
2007083020.tif 000005
【図４】
2007083020.tif 000006
【図５】
2007083020.tif 000007
【図６】
2007083020.tif 000008
【図７】
2007083020.tif 000009
【図８】
2007083020.tif 000010
【図９】
2007083020.tif 000011
【図１０】
2007083020.tif 000012
【図１１】
2007083020.tif 000013
【図１２】
2007083020.tif 000014
【図１３】
2007083020.tif 000015
【図１４】
2007083020.tif 000016
【図１５】
2007083020.tif 000017
【図１６】
2007083020.tif 000018
【図１７】
2007083020.tif 000019
【図１８】
2007083020.tif 000020
【図１９】
2007083020.tif 000021
【図２０】
2007083020.tif 000022